(57)【要約】【課題】クライマックスシーンを音声のみで判断しようとすると、実際のクライマックスシーンより遅れる可能性がある。【解決手段】映像音声入力手段１を介して入力される映像音声信号を出力する映像音声出力装置１００であって、映像判定手段７は、映像復号手段３で復号した後の映像信号の圧縮率を算出し、その値を基に、映像が動きの激しいシーンであるか否かを判断し、映像出力手段５および音声出力手段６を用いて、ユーザに画面メッセージや警告音で通知することによって、クライマックスシーン等の重要なシーンを見逃すことを防止することができる。【選択図】図１
2008278154.tif 000002
【特許請求の範囲】
【請求項１】
映像音声信号が入力される映像音声入力手段と、
前記映像音声入力手段からの信号を映像信号及び音声信号に分離する映像音声分離手段と、
前記映像信号を復号する映像復号手段と、
前記音声信号を復号する音声復号手段と、
前記映像復号手段からの映像信号の圧縮率を算出する映像圧縮率算出手段と、
前記映像復号手段が出力する映像信号を表示する表示手段と、
前記音声復号手段からの音声信号を出力する音声出力手段と、
前記圧縮率に基づき、前記表示手段又は前記音声出力手段にメッセージを出力するメッセージ制御手段と、
を備える映像音声出力装置。
【請求項２】
ユーザの視聴状態を検知する検知手段を備え、
前記メッセージ制御手段は、前記検知手段からの検知結果に基づき、前記表示手段又は前記音声出力手段にメッセージを出力する請求項１に記載の映像音声出力装置。
【発明の詳細な説明】
【技術分野】
【０００１】
本発明は、映像音声出力装置に関し、特に、現在視聴中の番組がクライマックスシーンであることを視聴者に通知する映像音声出力装置に関する。
【背景技術】
【０００２】
近年、録画機器の大容量化、サーバ化に伴い、ユーザの録画方法が「見たいものを録る」から、「何でも録る」に変化しつつある。
【０００３】
これに伴い、録画番組の視聴方法も「全てを見る」から、「見たいところだけを見る」に変化しつつあり、ユーザは、記録された大量の映像データの中から見たいシーン（クライマックスシーン）だけを見たいという要望が強くなっている。クライマックスシーンとは、例えばサッカー中継におけるゴールシーン、野球中継におけるホームランのシーンがあたると考えられる。
【０００４】
このような視聴方法においては、クライマックスシーンのみを選択してユーザが見ることが出来れば、ユーザの利便性が向上する。
【０００５】
特許文献１には、イベントとして所定の閾値以上の音量が検出されたとき、表示領域を変更したり、キャラクタを表示する発明が開示されている。
【０００６】
また、センサの高度化に伴い、視聴中のユーザの状況を映像音声表示装置が把握し、その状況に応じた制御を行うことが可能となっており、特許文献２では、ユーザの状況に応じて画像の表示サイズを変化させ、これにより消費電力の低減を図る発明が開示されている。
【特許文献１】特開２００４−１３３７３３号公報
【特許文献２】特開２００６−２６１７８５号公報
【発明の開示】
【発明が解決しようとする課題】
【０００７】
特許文献１では、音量が所定の閾値を超えたことをイベントとして検出しユーザに通知しているが、たとえばサッカーのシュートシーンなどでは、音量が大きくなるのはシュートの後であり、音量だけで判断するとシュートシーンを見逃す可能性が高く、音量を用いてクライマックスシーンを判断するのは困難である。
【０００８】
本発明は、上記課題を解決するものであり、映像信号に対してＭＰＥＧ２の圧縮方式が適用されている場合、動きの激しいシーンは圧縮率が少なくなり、反対に動きの小さいシーンは圧縮率が大きくなるため、圧縮率を監視することにより、映像が大きく変化する特徴のあるシーンを検出し、ユーザにその旨通知し、注意を喚起することによって、クライマックスシーン等の見逃しを防止する。
【課題を解決するための手段】
【０００９】
本発明の映像音声出力装置は、映像音声信号が入力される映像音声入力手段と、前記映像音声入力手段からの信号を映像信号及び音声信号に分離する映像音声分離手段と、前記映像信号を復号する映像復号手段と、前記音声信号を復号する音声復号手段と、前記映像復号手段からの映像信号の圧縮率を算出する映像圧縮率算出手段と、前記映像復号手段が出力する映像信号を表示する表示手段と、前記音声復号手段からの音声信号を出力する音声出力手段と、前記圧縮率に基づき、前記表示手段又は前記音声出力手段にメッセージを出力するメッセージ制御手段と、を備える。
【発明の効果】
【００１０】
本発明は、映像の圧縮率に基づき、クライマックスシーン等の特徴のあるシーンを判断し、ユーザにその旨通知し、注意を喚起することによって、ユーザがクライマックスシーン等を見逃すことを防止する。
【発明を実施するための最良の形態】
【００１１】
以下、本発明の実施の形態について、図面を用いて詳細に説明する。
【００１２】
（実施の形態１）
図１は、本発明の実施の形態１における映像音声出力装置の構成を示すブロック図である。映像音声出力装置１００は、外部から映像音声信号を受信する映像音声入力手段１と、映像音声入力手段１からの映像音声信号を映像信号、音声信号およびその他の信号に分離する映像音声分離手段２と、映像音声分離手段２が出力した映像信号を復号する映像復号手段３と、映像音声分離手段２が出力した音声信号を復号する音声復号手段４と、映像復号手段４からの映像信号の圧縮率を入力としてクライマックスシーン等を判定する映像判定手段７と、映像信号に重畳して表示するメッセージを作成するＯＳＤ（ＯｎＳｃｒｅｅｎＤｉｓｐｌａｙ）作成手段８と、映像復号手段３からの映像信号及びＯＳＤ作成手段８からの信号を重畳し、映像を作成する映像合成手段９と、映像合成手段９からの信号を出力する映像出力手段５と、ユーザに注意を喚起する音を作成する通知音作成手段１０と、音声復号手段４及び通知音作成手段１０からの音声信号を出力する音声出力手段６とを備える。
【００１３】
映像音声入力手段１は、例えば映像音声出力装置１００が外部の録画装置と接続されている際には、録画装置が出力する映像音声信号を受信する。あるいは映像音声信号装置１００において、図示しないアンテナ、チューナで受信したデジタル放送信号が入力されるとしても良い。
【００１４】
映像復号手段３は、映像信号を復号するとともに、復号後の映像信号の圧縮率を算出し、その算出した圧縮率を映像判定手段７へ出力する。例えば、デジタル放送ではＭＰＥＧ２と呼ばれる圧縮方式がとられるが、ＭＰＥＧ２では、動きの激しいシーンは圧縮率が少なくなり、反対に動きの少ないシーンは圧縮率が大きくなる。動きの激しいシーンをクライマックスシーンと判断し、圧縮率を基に、クライマックスシーンであるか否かを判断することができる。
【００１５】
ＯＳＤ作成手段８は、映像判定手段７からの通知メッセージ作成指示に基づき、クライマックスシーン等の特徴あるシーンの映像が表示されていることをユーザに伝える通知メッセージ画面を作成し、映像合成手段９に出力する。
【００１６】
通知音作成手段１０は、映像判定手段７からの通知メッセージ作成指示に基づき、クライマックスシーン等の特徴あるシーンであることをユーザに知らせる音を、音声出力手段６に出力する。
【００１７】
このように構成された映像音声出力装置１００の動作について図２のフローチャートを用いて説明する。
【００１８】
映像音声出力装置１００は、映像音声入力手段１において映像音声信号を受信する（ステップＳ２０１）。映像音声入力手段１は、受信した映像信号を映像音声分離手段２に出力する。出力する信号としては、例えばトランスポートストリームがある。
【００１９】
映像音声分離手段２は、映像音声入力手段１からのトランスポートストリームをＭＰＥＧデータの映像信号及び音声信号に分離し、映像信号は映像復号手段３に、音声信号は音声復号手段４にそれぞれ出力する（ステップＳ２０２）。
【００２０】
映像復号手段３は、入力された映像信号を復号し（ステップＳ２０３）、映像合成手段９に出力するとともに、復号後の映像信号について、その圧縮率を算出し、一定周期で算出した圧縮率を映像判定手段７に出力する（ステップＳ２０４）。音声復号手段４は、入力された音声信号を復号する（ステップＳ２０３）。
【００２１】
映像判定手段７は、入力された圧縮率を保持する閾値と比較し、閾値以上の場合は、ＯＳＤ作成手段８及び通知音作成手段１０に対して、通知メッセージ作成指示を行う（ステップＳ２０５でＹｅｓの場合）。
【００２２】
ＯＳＤ作成手段８は、通知メッセージ作成指示を受信すると、通知メッセージ画面を作成し（ステップＳ２０６）、映像合成手段９に出力する。映像合成手段９は、通知メッセージ画面を、映像復号手段３からの映像信号と合成し、映像出力手段５に出力する（ステップＳ２０８）。
【００２３】
通知音作成手段１０は、通知メッセージ作成指示を受信すると、ユーザへの通知音を作成し、映像出力手段６に出力する（ステップＳ２０７）。
【００２４】
映像出力手段５は、映像合成手段９より出力される映像信号を表示し（ステップＳ２０９）、音声出力手段６は、音声復号手段４及び通知音作成手段１０からの音声を出力する（ステップＳ２１０）。
【００２５】
以上のように、本発明の映像音声出力装置１００は、映像信号の圧縮率を算出し、その値が閾値を超えた場合に、そのシーンが動きの激しいクライマックスシーン等と判断し、映像表示と併せて、ユーザに注意を促す通知を行うことにより、重要なシーンを見逃すことを防止することができる。
【００２６】
なお、本実施の形態では、クライマックスシーン等の特徴のあるシーンを、映像信号の圧縮率を閾値と比較することにより判断したが、これに限るものではなく、映像信号の圧縮率の時間による変化の割合や、音声信号の圧縮率等を用いても良い。
【００２７】
（実施の形態２）
図３は、本発明の実施の形態２における映像音声出力装置の構成を示すブロック図である。実施の形態１の映像音声出力装置１００と同じ構成要素に関しては、同じ番号を付与し、説明を省略する。
【００２８】
映像音声出力装置２００は、ユーザの視線方向を検知する視線検知センサ１１と、視線検知センサ１１による検知結果を基に、ユーザの視聴状態を判断する視聴者状態判断手段１２とを備える。
【００２９】
このように構成された映像音声出力装置２００の動作について、図３のフローチャートで実施の形態１との相違点を中心に説明する。
【００３０】
視線検知センサ１１はユーザの視線方向を常に検知し、その結果を視聴者状態判断１２に出力する。視聴者状態判断手段１２は、ユーザの視線が画面上にあって、ユーザが画面を視聴している状態にあるのか、あるいは、ユーザの視線が画面上になく、例えば目を閉じた状態や、雑誌等を眺めている状態等であるかを判断し、その判断結果を映像判定手段７に出力する。
【００３１】
映像判定手段７は、入力された圧縮率が閾値を超える場合（ステップＳ２０５でＹｅｓの場合）であって、さらに視聴者状態判断手段１２より、ユーザが画面を視聴していない状態と判断した場合（ステップＳ２１１でＮｏの場合）は、ＯＳＤ作成手段８及び通知音作成手段１０に対して、通知メッセージ作成指示を行い、一方、入力された圧縮率が閾値を超える場合（ステップＳ２０５でＹｅｓの場合）であっても、ユーザが画面を視聴している状態と判断した場合（ステップＳ２１１でＹｅｓの場合）には、通知メッセージの作成指示を行わない。
【００３２】
これにより、ユーザが画面を注視しておらず、注意を促す必要がある状況では通知を行って重要なシーンを見逃すことを防止するとともに、ユーザが画面を見ており、メッセージによる注意を促す必要のない状況では、不要な通知を抑止し、視聴の妨げとならないようにすることができる。
【００３３】
なお、本実施の形態では、視線検知センサを用いて把握したユーザの視線方向に基づいて制御を行っているが、メッセージ通知の条件として用いる視聴者状態はこれに限るものではなく、距離センサを用いてユーザとの距離を把握し、その距離に基づいて、画面上に表示する通知メッセージの大きさや、通知音の音量を変化させても良い。
【産業上の利用可能性】
【００３４】
本発明の映像音声出力装置は、デジタル放送を受信し表示するデジタル放送受信装置や、ＤＶＤ録画装置等から出力される映像信号を表示するモニタ等に適用することができ、有用である。
【図面の簡単な説明】
【００３５】
【図１】本発明の一実施の形態における映像音声出力装置の構成を示すブロック図
【図２】本発明の一実施の形態における映像音声出力装置の動作を示すフローチャート
【図３】本発明の他の実施の形態における映像音声出力装置の構成を示すブロック図
【図４】本発明の他の実施の形態における映像音声出力装置の動作を示すフローチャート
【符号の説明】
【００３６】
１    映像音声入力手段
２    映像音声分離手段
３    映像復号手段
４    音声復号手段
５    映像出力手段
６    音声出力手段
７    映像判定手段
８    ＯＳＤ作成手段
９    映像合成手段
１０    通知音作成手段
１１    視線検知センサ
１２    視聴者状態判断手段
１００、２００    映像音声出力装置
【図１】
2008278154.tif 000003
【図２】
2008278154.tif 000004
【図３】
2008278154.tif 000005
【図４】
2008278154.tif 000006